Podtech/llm-jp-corpus-v4-ja_patent huggingface dataset:
(57)【要約】      （修正有）【課題】ポリバケツにゴミ袋を入れ、ポリバケツの内側に沿ってゴミ袋を広げゴミを入れることができる空気孔付きポリバケツを提供する。【解決手段】ポリバケツ１にゴミ袋２を入れ、ポリバケツ１の内側に沿ってゴミ袋２を広げるためポリバケツ１に空気孔３を設け、ゴミを入れ易くゴミ袋２ごと取り出すことができる。【選択図】図１
0003206483.tif 000002
【実用新案登録請求の範囲】
【請求項１】
ポリバケツ本体に空気孔を設け、ポリバケツ内にゴミ袋を設置するときにポリバケツとゴミ袋との間にある空気を空気孔から出すことができ、ポリバケツ内側に沿ってごみ袋を設置できることを特徴とする空気孔付きポリバケツ
【請求項２】
ごみ箱にも応用ができ、ゴミ以外でも収集することが可能である
【考案の詳細な説明】
【技術分野】
【０００１】  本考案は、ゴミ袋をポリバケツに入れてポリバケツの内側に沿って広げてゴミを回収することに関するものである。
【背景技術】
【０００２】  ゴミ袋をポリバケツに入れて広げてはいたが中の空気が抜けず広く開くことができず、空気孔を設けたポリバケツはまだ無い。
【先行技術文献】
【０００３】  なし
【考案の概要】
【考案が解決しようとする課題】
【０００４】    ポリバケツにゴミを入れる場合、そのまま入れそれをまたゴミ袋に移し変える必要があった。従ってこの方法はポリバケツを使い一度にゴミ袋にゴミを入れる事を可能とするものである。
【課題を解決するための手段】
【０００５】  本考案はポリバケツに空気孔を設けることによりポリバケツを汚さずにゴミ袋を中に設置し、空気孔によりポリバケツ内側いっぱいに広がりゴミを入れることができ、ゴミ袋が膨らんでしまう問題点を解決している。【０００６】  上述のように本考案のポリバケツにゴミ袋を入れ、ポリバケツ内側いっぱいにゴミ袋を広げゴミを入れることを可能するもので、他にごみ箱等にも応用することができる。
【図面の簡単な説明】
【０００７】
【図１】本考案のポリバケツとゴミ袋の一実地例を示した断面図である。
【考案を実施するための形態】
【０００８】  ポリバケツにゴミ袋を入れポリバケツの縁にゴミ袋の口を沿わせるように折り返し、次に手を入れゴミ袋をポリバケツの内側に押すように広げる。するとポリバケツとゴミ袋との間に入っていた空気が空気孔を通って抜けゴミ袋が広がり、後はゴミを入れ多くなった時にゴミ袋を取り出す。
【実施例】
【０００９】  以下、添付図面に従って一実施例を説明する。１はポリバケツ、２はゴミ袋、３は空気孔、４は手、５は空気の通り道である。１のポリバケツに２のゴミ袋の口を沿わせるように折り返し、次に手を入れゴミ袋をポリバケツの内側に押すように広げる。するとポリバケツとゴミ袋との間に入っていた空気が空気孔を通って抜けゴミ袋が広がり、後はゴミを入れ多くなった時にゴミ袋を取り出す。【００１０】  本考案の一実施例は上述の如き構成からなるものであるから、ポリバケツにゴミ袋の口を沿わせるように折り返し、次に手を入れゴミ袋をポリバケツの内側に押すように広げる。するとポリバケツとゴミ袋との間に入っていた空気が空気孔を通って抜けゴミ袋が広がり、ゴミを入れ多くなった時にゴミ袋を取り出す。
【符号の説明】
【００１１】１、  ポリバケツ
２、  ゴミ袋
３、  空気孔
４、  手
５、  空気の通り道
【図１】
0003206483.tif 000003
【手続補正書】
【提出日】平成28年6月6日(2016.6.6)
【手続補正１】
【補正対象書類名】実用新案登録請求の範囲
【補正対象項目名】全文
【補正方法】変更
【補正の内容】
【実用新案登録請求の範囲】
【請求項１】
ポリバケツ本体に空気孔を設け、ポリバケツ内にゴミ袋を設置するときにポリバケツとゴミ袋との間にある空気を空気孔から出すことができ、ポリバケツ内側に沿ってゴミ袋を設置できることを特徴とする空気孔付きポリバケツ
【請求項２】
ごみ箱にも応用ができ、ゴミ以外でも収集することが可能であることを特徴とする請求項１に記載の空気孔付きポリバケツ
(57)【要約】      （修正有） 【課題】軽量かつ強度の大きい敷板を提供する。【解決手段】本考案の敷板１は、繊維補強コンクリート２からなるものであるので、軽量であり、運搬や敷設作業に大型クレーンなどの重機を使用する必要がなく、取り扱いが容易であり作業性に優れている。また圧縮強度が大きいから、重量のある車両などの走行にも耐えることができ、容易に変形することがない。【選択図】図１
0003206445.tif 000002
【実用新案登録請求の範囲】
【請求項１】
繊維補強コンクリート材からなることを特徴とする敷板。
【請求項２】
表面に滑り止め用の突起を設けたことを特徴とする請求項１に記載の敷板。
【請求項３】
前記敷板の平面形状が矩形であって、該矩形の四隅に貫通孔が形成されていることを特徴とする請求項１又は２に記載の敷板。
【請求項４】
前記敷板の平面形状が矩形であって、該矩形の対向する２組の辺のうち、少なくとも１組の辺の中央部近傍に貫通孔が形成されていることを特徴とする請求項１又は２に記載の敷板。
【考案の詳細な説明】
【技術分野】
【０００１】
本発明は建築現場や工事現場やイベント会場などにおいて、地面や路面に敷設される敷板に関する。
【背景技術】
【０００２】
建築現場や工事現場などでは、クレーン車やショベルカーなどの作業車両が敷地内に走行して作業が行われることがあるが、このような車両の通過を容易にするために、十分に整地されていない地面には敷板が敷設される。また、イベント会場などで地面や路面がぬかるんでいたり軟弱であったりする場合にも通路を確保するためや養生のために敷板を敷設している。
【０００３】
このような敷板としては、従来、鉄板が使用されてきたが、鉄製の敷板は重量が大きく人力では運搬しにくいため大型のクレーンなどの重機を使用する必要があった。また、重量が大きいことから運搬、敷設作業に危険をともない、また車両が敷板上を通過する際、敷板の周縁部が跳ね上がり負傷事故を招く危険性もあった。
そこで、近年、このような鉄製の敷板に代わり、ポリエチレンなどの合成樹脂などからなる敷板が開発されている（例えば、特許文献１参照）。
合成樹脂からなる敷板は、軽量である点や絶縁性の点で鉄製の敷板に比べて優れている。
【０００４】
しかし、上述したような従来の合成樹脂製の敷板は、縁部に反りが発生して変形しやすく、また十分な圧縮強度を確保することが困難であり、重機等の通過により大きな負荷がかかった際にひび割れ等の破損が生じていた。
【先行技術文献】
【特許文献】
【０００５】
【特許文献１】特開２００８−５０８４１号公報
【考案の概要】
【考案が解決しようとする課題】
【０００６】
本考案は上述の課題を解決するためなされたものであり、軽量かつ強度の大きい敷板を提供することを目的とする。
【課題を解決するための手段】
【０００７】
上記目的を達成するために、本考案は以下の手段を採用する。
［１］繊維補強コンクリート材からなることを特徴とする敷板。
［２］表面に滑り止め用の突起を設けたことを特徴とする［１］に記載の敷板。
［３］前記敷板の平面形状が矩形であって、該矩形の四隅に貫通孔が形成されていることを特徴とする［１］又は［２］に記載の敷板。
［４］前記敷板の平面形状が矩形であって、該矩形の対向する２組の辺のうち、少なくとも１組の辺の中央部近傍に貫通孔が形成されていることを特徴とする［１］又は［２］に記載の敷板。
【考案の効果】
【０００８】
本考案の敷板は、繊維補強コンクリートからなるものであり、軽量であるから運搬や敷設作業に大型のクレーンなどの重機を使用する必要がなく、取り扱いが容易であり作業性に優れている。また圧縮強度が大きいから、重量のある車両などの走行にも耐えることができ、容易に変形することがない。
【図面の簡単な説明】
【０００９】
【図１】本考案の敷板の断面を模式的に示す斜視図である。
【図２】滑り止め用の突起を設けた本考案の敷板（一部）を示す平面図である。
【図３】本考案の貫通孔を有する敷板の平面図である。
【考案を実施するための形態】
【００１０】
本考案の敷板１は、図１に示すように、繊維補強コンクリート材２からなる。
繊維補強コンクリートは、コンクリートにガラス繊維や合成繊維や炭素繊維を練り込んだもので補強してあるため、耐圧縮性や曲げ強度を備えた複合材料である。
さらに、ワイヤーメッシュを装入して、繊維補強コンクリートを成型してもよい。こうすることで、繊維補強コンクリートの耐圧縮性や曲げ強度を高めることができる。
【００１１】
３×６判（９１０×１８２０）の大きさで厚みが通常普及している２２ｍｍの敷板では、鉄製の敷板では重量が約２８９Ｋｇであるが、本考案の繊維補強コンクリートを使用した敷板では約７０Ｋｇであり、鉄製の敷板の１／４以下の重量である。この程度の重量であるから、大型クレーンなどの重機を使用しないで作業員の人力で地面などに敷設が可能である。
【００１２】
また、圧縮強度については、普及している再生ポリエチレン樹脂の敷板では約２７ＭＰａであるのに対して、本考案の敷板では、繊維補強コンクリート材からなるので、約６０ＭＰａである。
このように圧縮強度が大きいため、重量のあるクレーン車やショベルカーが頻繁に走行しても、容易に破損したり変形したりすることがない。
【００１３】
図２に示すように、敷板１の表面には、滑り止め用の突起３を設けることもできる。滑り止め用の突起３は、敷板１の型枠に繊維補強コンクリートを流し込んで敷板を製造する際に、敷板の表面に容易に形成することができる。また、突起３は敷板１の両面に設けてもよく、その形状は図２に示すものに限るものではない。
【００１４】
敷板の平面形状が矩形である場合、図３に示すように、敷板の四隅には敷板同士を接続するための貫通孔４を形成することができる。この貫通孔にアンカーなどを差し込み、敷板と敷板とを接続することができる。なお、四隅の角部にはアール（丸み）を付けることがあるが、このような敷板も矩形に含まれる。
また、敷板の矩形の対向する２組の辺のうち、少なくとも１組の辺の中央部近傍に手掛用の貫通孔５を形成することもできる。図３では、２組の対向する辺の長辺側の１組の辺の中央部近傍に貫通孔５が形成された実施形態が示されている。貫通孔５は、図３では作業員の手の甲が装入できる程度の扁平な形状をした貫通孔が示されているが、貫通孔４と同様な貫通孔を複数個形成して作業員の指が入るように形成してもよい。なお、貫通孔５は、アンカーを装入して、接続用の貫通孔としても使用できる。
【産業上の利用可能性】
【００１５】
本考案の敷板は、作業現場等における架設通路の確保、架設駐車場や仮設資材置き場の設営、床面の保護、駐車場や歩道等の路面養成、荷物等の保護などのために使用することができる。
【符号の説明】
【００１６】
１：敷板
２：繊維補強コンクリート材
３：滑り止め用の突起
４：（敷板四隅の）貫通孔
５：（敷板の辺中央部近傍の）貫通孔
【図１】
0003206445.tif 000003
【図２】
0003206445.tif 000004
【図３】
0003206445.tif 000005
(57)【要約】【課題】葬儀に用いられる香炉で灰を使わない焼香用炭敷を提供する。【解決手段】香炉２内に配置されて、炭３が載置される焼香用炭敷１であって、焼き入れされたケイ酸カルシウムから形成されている。【選択図】図１
0003206441.tif 000002
【実用新案登録請求の範囲】
【請求項１】
葬儀に用いられる香炉内に配置されて、炭が載置される焼香用炭敷であって、
焼き入れされたケイ酸カルシウムから形成されていることを特徴とする焼香用炭敷。
【考案の詳細な説明】
【技術分野】
【０００１】
本考案は、葬儀に用いられる香炉内に配置されて、炭が載置される焼香用炭敷に関するものである。
【背景技術】
【０００２】
葬儀での焼香は、香炉に入れた灰に火が熾された炭を載置し、その炭の上に刻んだ香木などの香料を摘まんで振りかけることにより行われている。
【０００３】
しかしながら灰は手入れが非常に煩わしい。これに対し、特許文献１に示すように、炭の熱を香炉に伝え難くする断熱部材を用いて灰を軽減しようとする技術が提案されている。この断熱部材としては、珪藻土を主成分とした難燃性のものが例示されている。
【先行技術文献】
【特許文献】
【０００４】
【特許文献１】特開２０１２−８５８０１号公報
【考案の概要】
【考案が解決しようとする課題】
【０００５】
これに対し、本考案者は、灰を用いない焼香という従来にはない発想の下、そのための焼香用炭敷を提供しようと試みている。そして本考案者は、耐火性及び断熱性を有することで知られるケイ酸カルシウムを用いて香炉用炭敷を製作した。そして、その焼香用炭敷を香炉内に配置し、その上に火の熾きた炭を載置して、香料を振りかけてみたところ、炭が立ち消えてしまうという課題に直面した。
【０００６】
そこで本考案は、鋭意検討の結果なされたものであり、灰を用いない焼香に用いることができ、しかも炭が立ち消えすることのない焼香用炭敷を提供するものである。
【課題を解決するための手段】
【０００７】
すなわち、本考案に係る香炉用炭敷は、香炉内に配置されて、炭が載置されるものであって、焼き入れされたケイ酸カルシウムから形成されていることを特徴とする。
【考案の効果】
【０００８】
この考案によれば、焼香用炭敷として焼き入れされたケイ酸カルシウムを用いているので、その上面に火の熾された炭を置いても、炭が立ち消えしてしまうことはない。これにより、灰を用いない焼香を行うことができる。
【０００９】
また、ケイ酸カルシウムは耐湿性にも優れており香炉内の湿度を適当に保つので、香料を安定的に焚くことができる。
【図面の簡単な説明】
【００１０】
【図１】本考案の一実施形態における香炉内の焼香用炭敷の使用状況を示す斜視図及びその分解斜視図である。
【考案を実施するための形態】
【００１１】
本考案の一実施形態について図面を参照して説明する。
【００１２】
本実施形態に係る焼香用炭敷１は、図１に示すように、香炉２の底部上面に配置されて、火の熾された炭３が載置されるものである。なお、香炉２は上部が開口する例えば直方体形状をなすものである。
【００１３】
この焼香用炭敷１は平板状をなすものであって、上面及び下面は平坦面である。その平面視における形状は、香炉２の底部上面の平面視形状よりも若干小さく、例えば略相似形状の長方形である。本実施形態の焼香用炭敷１は、大きさが例えば９５ｍｍ角であり、厚みが例えば１０ｍｍのものである。
【００１４】
この焼香用炭敷１は、焼き入れされたケイ酸カルシウムで形成されているケイ酸カルシウムの焼き入れは、例えば片面を４００℃で２〜５分間、加熱処理して行う。
【００１５】
本実施形態の焼香用炭敷１は、焼き入れしたケイ酸カルシウムを用いているので、その上面に火の熾された炭３を置いても、炭３が立ち消えしてしまうことはない。これにより、その炭３の上に香料を振りかけて焼香をすることがで、灰を用いない焼香を行うことができる。また、ケイ酸カルシウムは耐湿性にも優れており香炉２内の湿度を適当に保つので、香料を安定的に焚くことができる。
【００１６】
なお、本考案は前記実施形態に限られるものではない。
【００１７】
例えば、平板状の焼香用炭敷１の上面に凹部を設けてもよい。こうすることで、炭を載置しやすくなる。この凹部は断面形状が湾曲したものであれば、香料も中心部に集まるので加熱しやすくなる。
【００１８】
また、前記焼香用炭敷１の平面視における形状は、本実施形態では香炉２の平面形状に対応したものであったが、円形などその他様々な形状とすることができる。
【００１９】
その他、本考案は前記実施例に限られずその趣旨を逸脱しない範囲で種々変形が可能である。
【符号の説明】
【００２０】
１・・・焼香用炭敷
２・・・香炉
３・・・炭
【図１】
0003206441.tif 000003
(57)【要約】      （修正有）【課題】文章内でのカーソル等の所在位置が安易に見え易くする為カーソル等に着色しその所在を明確にする電子機器を提供する。【解決手段】パソコン等電子機器の現存する形体の黒色カーソル等に赤・黄・緑色等を着色し現行の黒色打ち込み活字や図面内において新たに入力する際着色したカーソル等位置が視覚有効化とするカーソル等着色する機能を有する制御装置と着色されたカーソルを表示する表示装置を備えた電子機器である。【選択図】図１
0003206754.tif 000002
【実用新案登録請求の範囲】
【請求項１】
パソコン等電子機器作成文書内カーソル等位置視覚分別有効化とするカーソル等位置明確化のカーソル等着色機能
【考案の詳細な説明】
【技術分野】
【０００１】本考案は、電子機器カーソル等着色機能に関するものである。
【背景技術】
【０００２】  電子機器コンピューター（含む、通称パソコン）・スマートフォン・携帯電話等に活字を打ち込む際文字とカーソルもマウスポインタ（以下、カーソル等と称す）が黒色でありカーソル等に着色し文章内でのその所在位置を見易くするものである。
【考案の概要】
【考案が解決しようとする課題】
【０００３】  パソコン等への活字を打ち込む際カーソル等は黒色で打ち込みの文字の色も黒色であり、特に長文の際カーソル等の文章内での位置が見えづらいことからカーソルに着色しその所在位置を明確にするものである。
【課題が解決するための手段】
【０００４】  パソコン等電子機器作成文書内カーソル等位置視覚分別有効化とするカーソル位置明確のカーソル着色機能
【考案の効果】
【０００５】  現行のパンコン等の打ち込み活字とカーソル等の色は両者黒色であり、特に長文文書を作成する際カーソル等の所在置を探すのに困難を期する。よってカーソル等に赤・黄・緑・ピンク等の着色をすればカーソル等の文章内での現在地は安易に見えるのである。
【図面の簡単な説明】
【０００６】
【図１】  本考案に係るカーソル等着色図面である。
【符号の説明】
【００７】  図１  パソコン画面である。
図２  文書内のカーソル等に着色した状態である。
図３  分解図
【考案を実施するための形態】
【００８】  図において図１の（１）はパソコンの画面であり、（２）は文章打ち込みの画面である。文章は特に長文になり逆戻りする際カーソル等の位置は文字もカーソル等も両者は黒色でありカーソル等の文書内での所在位置が見辛いことからカーソル等に赤・黄色・緑色・ピンク色等の着色をして文書内での位置を判り易くするものである。
以下扱い方について説明する。
パソコン等に文章を打ち込む際にカーソル等に着色をしカーソル等の所在位置を判り易くするのである。
【図１】
0003206754.tif 000003
【手続補正書】
【提出日】平成28年7月11日(2016.7.11)
【手続補正１】
【補正対象書類名】実用新案登録請求の範囲
【補正対象項目名】全文
【補正方法】変更
【補正の内容】
【実用新案登録請求の範囲】
【請求項１】
パソコン等電子機器の現存する形体の黒色カーソル等に赤・黄・緑色等を着色し現行の黒色打ち込み活字や図面内において新たに入力する際着色したカーソル等位置が視覚有効化とするカーソル等着色する機能を有する制御装置と着色されたカーソルを表示する表示する装置を備えた電子機器。
(57)【要約】      （修正有）【課題】大型家具や冷蔵庫が転倒しても、簡単に転倒しない衣類収納型組立式室内地震シェルターを提供する。【解決手段】シェルター本体を軽量で強度を有するアルミ合金で形成する。左側面に当るフレームと右側面に当るフレームとに、表面に当るフレームと後面に当るフレームとを取り付け、表面に当るフレームと後面に当るフレームとに、底部にあるフレームと上部面に当るフレームとを取り付けてなる６面体であり、ハンガー受けパイプ４２を備える。また、転倒防止用のアウトリガー４４、６０を有する。【選択図】図７
0003206759.tif 000002
【実用新案登録請求の範囲】
【請求項１】
フレーム（３）とフレーム（６）とに取り付けて有ります。ハンガー受けパイプ（４２）が有って、衣類収納型組立式室内地震シェルターです。
【請求項２】
転倒防止用のアウトリガー（４４）（６０）の有する衣類収納型組立式室内地震シェルターです。
【考案の詳細な説明】
【技術分野】
【０００１】大地震により家具及び電化製品の転倒など、さらには、木造住宅の倒壊により押潰される事の無い様にする為に使用される、室内設置用の地震シェルターです。
【背景技術】
【０００２】室内地震シェルターに関する。
【先行技術文献】
【０００３】室内設置型地震シェルターに関するもので、ベッドに取付けるベッドシェルターや、押入れの下段に設置するなどの地震シェルターは有りますが、本考案の衣類収納型組立式室内地震シェルターの様な構成の地震シェルターは、有りません。
【考案の概要】
【考案が解決しようとする課題】
【０００４】冷蔵庫や大型家具が転倒するので、シェルターも転倒する恐れが有るので、簡単に転倒しない構造にすること。
【課題を解決するための手段】
【０００５】大型家具や冷蔵庫が転倒しても、本考案の衣類収納型組立式室内地震シェルターは、簡単に転倒しない様にする為に、アウトリガー（４４）を取入れました。レッカー車の様に加重をかけても簡単には転倒いたしません。
【考案の効果】
【０００６】地震シェルターだけの目的に使用するもので無く、日常生活において、洋服タンスの様に使用する。日常的に使用出来て、安全、安心、快適に過せて、利便性に優れております。
橋梁工事において、送り出し（手のべ）工法にて、２００トン〜３００トンの橋桁を支えて置く為のステージ（サポート）に使用している、６面体の駒を組み重ねて、使用されております駒の構造を参考にして、６面いずれの面よりの加重力に耐えうる構造にしましたので、マグニチュード７クラスで、４００ガルから５００ガルでもシェルターは転倒及び破損しにくい、安全な、利便性の有るシェルターです。
【図面の簡単な説明】
【０００７】
【図１】底部の平面明細図
【図２】表面の明細図
【図３】左側面の明細図
【図４】後面の明細図
【図５】上部面の明細図
【図６】右側面の明細図
【図７】斜視の明細図
【考案を実施するための形態】
【０００８】部屋の一部に６面体の衣類収納型組立式室内地震シェルターを設置する。
【実施例】
【０００９】１．底部に当るフレーム（１）を床に置き、表面に当るフレーム（２）を、ボルト（７）（８）（９）で連結、取り付けます。
２．表面に当るフレーム（２）左側面に当るフレーム（３）とをボルト（１０）（１１）（１２）で取り付けます。
３．左側面に当るフレーム（３）と後面に当るフレーム（４）とをボルト（１６）（１７）（１８）で取り付けます。
４．表面に当るフレーム（２）と後面に当るフレーム（４）とに、上部面に当るフレーム（５）をボルト（１９）から（２７）とで取り付ける。
５．表面に当るフレーム（２）と後面に当るフレーム（４）とに、右側面に当るフレーム（６）を取り付ける。
６．各フレーム（１）（２）（３）（４）（５）（６）とを連結、組上がったら各ボルト（７）〜（２８）を生じめを行い、シェルターの角度、対角を出し、ゆがみを取り各ボルト（７）〜（２８）を本じめを行えば完成です。
【産業上の利用可能性】
【００１０】衣類収納型組立式室内地震シェルターの製造に至れば資材流通にも役立ちます。
【符号の説明】
【００１１】１  フレーム
２  フレーム
３  フレーム
４  フレーム
５  フレーム
６  フレーム
７  ボルト
８    〃
９    〃
１０  〃
１１  〃
１２  〃
１３  〃
１４  〃
１５  〃
１６  〃
１７  〃
１８  〃
１９  〃
２０  〃
２１  〃
２２  〃
２３  〃
２４  〃
２５  〃
２６  〃
２７  〃
２８  〃
２９  筋ガイ
３０    〃
３１    〃
３２    〃
３３  外板
３４    〃
３５    〃
３６    〃
３７    〃
３８  アコーデオン、ドアー
３９  取手
４０  マグネット
４１  マグネット
４２  ハンガー受けパイプ
４３  ハンガー
４４  アウトリガー
４５  スベリ止めマット
４６      〃
４７      〃
４８      〃
４９      〃
５０      〃
５１  手摺パイプ
５２  プレート
５３    〃
５４    〃
５５    〃
５６    〃
５７    〃
５８    〃
５９    〃
６０  アウトリガー
６１  ボルト孔
【図１】
0003206759.tif 000003
【図２】
0003206759.tif 000004
【図３】
0003206759.tif 000005
【図４】
0003206759.tif 000006
【図５】
0003206759.tif 000007
【図６】
0003206759.tif 000008
【図７】
0003206759.tif 000009
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
左側面に当るフレーム（３）と右側面に当るフレーム（６）とに、表面に当るフレーム（２）と後面に当るフレーム（４）とを取り付け、前記表面に当るフレーム（２）と前期後面に当るフレーム（４）とに、底部にあるフレーム（１）と上部面に当るフレーム（５）とを取り付けてなる６面体であり、ハンガー受けパイプ（４２）が有る衣類収納型組立式室内地震シェルター。
【請求項２】
転倒防止用のアウトリガー（４４）（６０）を有する請求項１記載の衣類収納型組立式室内地震シェルター。
(57)【要約】      （修正有）【課題】防塵マスクやヘルメットを装着した状態で溶接作業を行う際に、溶接面と作業者顔面との平行を保ちかつ溶接面と作業者顔面との間隔を適度に保つことのできる溶接面を提供する。【解決手段】左右方向に湾曲した面体２と面体２の外面に遮光板を有する覗き窓４を設けた溶接面において、面体２の覗き窓４の下端位置より下側全面を外側に張り出した段付き形状としたことを特徴とする。【選択図】図２
0003206780.tif 000002
【実用新案登録請求の範囲】
【請求項１】
左右方向に湾曲した面体２と前記面体２の外面に遮光板３を有する覗き窓４を設けた溶接面１において、前記面体２の前記覗き窓４の下端位置より下側全面を外側に張り出した段付き形状としたことを特徴とする溶接面。
【請求項２】
前記面体２の張り出し段付き形状部の左右中央部での段差は、１０ｍｍ乃至４０ｍｍとしたことを特徴とする請求項１記載の溶接面。
【請求項３】
前記面体２の張り出し段付き形状部の上下方向長さは、少なくとも前記段付き形状部の内面に防塵マスクが収納できる長さ以上としたことを特徴とする請求項１又は請求項２記載の溶接面。
【考案の詳細な説明】
【技術分野】
【０００１】  本考案は、溶接作業時に使用する溶接面に関するものである。
【背景技術】
【０００２】  現場の溶接作業では作業者は、通常、溶接面を使用して作業を行うが、この溶接面と併せて労働基準法などの法令や作業所で定められた規則などに基づいて防塵マスクやヘルメットを装着して作業を行っている。
【先行技術文献】
【特許文献】
【０００３】
【特許文献１】  実開平４−１８５１１号  公報
【特許文献２】  特開２００５−１１３２９２号  公報
【考案の概要】
【考案が解決しようとする課題】
【０００４】  上述のように防塵マスクやヘルメットを装着した状態で溶接面を使用すると溶接面内部と作業者顔面との間のスペース不足のため防塵マスクやヘルメットが邪魔をして溶接面と作業者顔面とが平行になりにくく、溶接面と作業者顔面とが平行でない状態で溶接作業をせざるを得なかった。このため、溶接面の遮光板を備えた覗き窓からの溶接位置の視界が正面視とならないため作業性が低下するという問題があった。また、溶接面と作業者顔面との平行を無理に保つと溶接面と作業者顔面との間隔が通常より空くため、溶接火花（スパッタ）からの保護機能が低下したり、溶接面の周囲の隙間から有害光線が入るという問題もあった。【０００５】  本考案は、防塵マスクやヘルメットを装着した状態で溶接作業を行う際に、溶接面と作業者顔面との平行を保ちかつ溶接面と作業者顔面との間隔を適度に保つことのできる溶接面を提供することを目的とする。
【課題を解決するための手段】
【０００６】  上記目的を達成するために、本考案の溶接面は、左右方向に湾曲した面体と前記面体の外面に遮光板を有する覗き窓を設けた溶接面において、前記面体の前記覗き窓の下端位置より下側全面を外側に張り出した段付き形状としたことを特徴としている。
【考案の効果】
【０００７】  本考案の溶接面を防塵マスクやヘルメットを装着した状態で使用すれば溶接面と作業者顔面との間のスペースを十分に確保できるため溶接面と作業者顔面との平行を保ちかつ溶接面と作業者顔面との間隔を適度に保つことができる。このため、溶接面の覗き窓からの溶接位置の視界が正面視となることで作業性が向上するとともに溶接火花（スパッタ）からの保護機能が確保でき安全性も向上する。更に、溶接面の隙間からの有害光線入りを軽減することができる。
【図面の簡単な説明】
【０００８】
【図１】本考案に係る溶接面の一実施例を示す正面図である。
【図２】本考案に係る溶接面の一実施例を示す左側面図である。
【図３】図１におけるＡ−Ａ線拡大断面図である。
【図４】本考案に係る溶接面の使用状態を示す図である。
【図５】従来の溶接面の左側面図である。
【考案を実施するための形態】
【０００９】  以下、本考案に係る溶接面の一実施の形態について、図１乃至図５に基づいて説明する。
図１又は図２に示す溶接面１は手持ち式のものであるが、面体２と遮光板３を有する覗き窓４と手持ち部５とからなり、面体２は、面体上部２ａ、面体上主要部２ｂ、面体下主要部２ｃ及び面体下部２ｄとから構成されており、これらは同じ素材でリベットなどでそれぞれ固着されている。なお、面体２の素材は、難燃性及び電気絶縁性など所定の性能を満たすものが使用されている。
【００１０】  面体２の面体下主要部２ｃ及び面体下部２ｄは、図２又は図３に示すように面体上主要部２ｂの外面より外側に張り出した段付き形状とすることで、図５に示す従来の溶接面の覗き窓４の下端位置からの内面スペースを広くしている。
【００１１】  この段付き形状により図４に示すように防塵マスク６の全体が納まる内面スペースを確保することができるため、溶接面１と作業者顔面とを平行に保持しかつ溶接面と作業者顔面との間隔を適度に保持した状態で溶接作業を行うことができる。
【００１２】  面体２の面体上主要部２ｂと面体下主要部２ｃとの左右中央部の張り出し段差Ｌは、請求項２に記載のとおり１０ｍｍ乃至４０ｍｍの範囲内がよい。
【００１３】  段付き形状については、実施例では面体の表面に対して直角方向に段を設けたが、外観デザインを考慮して斜め下方又はアール形状としてもよい。
【００１４】  また、面体２の面体下主要部２ｃの上下方向長さは、請求項３に記載のとおり少なくとも段付き形状部の内面に防塵マスク６が収納できる長さ以上とすれば、防塵マスク６のスペースを確保することができ、溶接面１と作業者顔面とをより平行に保持しやすくなる。
【００１５】  なお、実施例は面体を４パーツ構成としたが、面体上部２ａと面体上主要部２ｂ、面体下主要部２ｃと面体下部２ｄをそれぞれ一体として２パーツ構成としてもよいし、これら全てを一体として構成してもよい。また面体パーツの分割は横分割方式でも縦分割方式でもよい。更に、実施例では手持ち式溶接面について記載しているが、かぶり面式の溶接面においても同様に実施できる。
【符号の説明】
【００１６】１    溶接面
２    面体
２ａ  面体上部
２ｂ  面体上主要部
２ｃ  面体下主要部（張り出し部）
２ｄ  面体下部（張り出し部）
３    遮光板
４    覗き窓
５    手持ち部
６    防塵マスク
７    ヘルメット
Ｌ    左右中央部の張り出し段差
【図１】
0003206780.tif 000003
【図２】
0003206780.tif 000004
【図３】
0003206780.tif 000005
【図４】
0003206780.tif 000006
【図５】
0003206780.tif 000007
(57)【要約】      （修正有）【課題】アルミニウム合金やマグネシウム合金をダイカストマシンで鋳造する作業工程において、耐熱性と抗張力を高めるプランジャーチップを提供する。【解決手段】プランジャーチップ３において、先端部は外径より１０ミリメートル中心部方向に、また先端部より１０〜１３ミリメートルに摺動面をグランパッキン６の位置まで耐熱硬化肉盛り７を施して溶射の欠点をなくする。また、摺動面の先端部より少し手前の位置に幅５ミリメートル、深さ５ミリメートルの溝を入れて耐熱グランドパッキン６を耐熱接着剤で巻き付けて潤滑油を含浸させて摺動面に潤滑油を塗り摺動性を良くする。    【選択図】図１
0003206719.tif 000002
【実用新案登録請求の範囲】
【請求項１】
プランジャーチップの外周面に先端部より少し手前の位置に溝をいれて耐熱グランドパッキンを耐熱接着剤で巻き付けて、潤滑油を含浸させることを特徴とするプランジャーチップ。
【請求項２】
プランジャーチップの最先端面から耐熱グランパッキンの位置に渡って外周面に耐熱硬化肉盛りを施したことを特徴するプランジャーチップ。
【考案の詳細な説明】
【技術分野】
【０００１】
本発明は、ダイカストマシン本体、押出装置、溶解炉を使用してアルミニウム合金、マグネシウム合金を溶かしてプランジャースリーブの内径に流し入れプランジャーチップでダイカストマシンに取り付けられている金型の製品形状部に加圧注入し高品質な製品を大量に鋳造する時に使われるプランジャーチップに関する。
【背景技術】
【０００２】
ダイカストマシンによる鋳造は、アルミニウム合金やマグネシウム合金などの非鉄金属を６５０度〜７００度の高温で溶かしてフランジャースリーブの内径に流し入れて駆動装置に接続されているプランジャーチップで押し出して金型の製品形状部内に加圧注入することによりアルミニウム合金、マグネシウム合金の鋳造を大量に高品質な鋳物を造る
【先行技術文献】
【特許文献】
【０００３】
【特許文献１】特許４７７２３８８号    公報
【０００４】
【特許文献２】特開平０９−９４６４８号公報（全文）
【考案の概要】
【考案が解決しようとする課題】
【０００５】
ＳＫＤ−６１を熱処理したプランジャーチップは母材が高価で加工が難しく,また、使用している間に鋳造温度で軟化し耐久性が乏しい。
【０００６】
Ｓ４５Ｃに溶射をしたプランジャーチップは、耐久性はＳＫＤ−６１よりは優れていて安価で鋳造温度で軟化しないけれども硬く、抗張力が低い為高速で溶解アルミニウム合金やマグネシウム合金押し出すと先端部が割れや剥がれを起こし易い。
【０００７】
本発明は、このような従来の構成が有していた問題を解決しようとするものであり、耐熱性と抗張力を高めてより高品質な製品を大量に鋳造をすることを実現することを目的とするものである。                                                                                                                                                                    
【課題を解決するための手段】
【０００８】
先端部に耐熱硬化肉盛りを施して先端部の硬度落さず溶射の弱点である溶着力を高める。
【０００９】
耐熱グランドパッキンを耐熱接着剤で貼り付け摺動面に潤滑油を塗ることにより摺動性
を良くする。
【００１０】
耐熱接着剤で巻き付ける前に、窒化加工を施して摺動性と耐摩耗性の向上はかる。
【考案の効果】
【００１１】
溶解金属を押し出す部分を耐熱硬化肉盛りを耐熱グランパッキンの位置まで施して残りの外周はニッケルクロムで溶射面を形成することにより前記段落番号「０００６」の従来の溶射チップの欠点をなくすことが出来た。
【００１２】
摺動面に耐熱グランドパッキンを耐熱接着剤で巻き付けることによりグランパッキンに
含浸させた潤滑油をプランジャースリーブとプランジャーチップの摺動面に付着させる
ことにより摺動性の向上はかることが出来た。
【００１３】
以上の効果により  プランジャーチップの先端部が破損及び剥離すること改善し摺動性を良くする事で押し出し、戻し作動時に起こる擦り傷や割れる事を抑えることに成功した。
その結果プランジャーチップ１個当たりの生産数を大幅に向上した。
【実施例】
【００１４】
図１の７に示すように、プランジャーチップ３のＡ方向、即ち最先端面から摺動面外周に１０〜１３ミリメートルの幅で、厚み１０ミリメートルに渡って耐熱硬化溶接棒ＹＦ３ＢＣ６００を使用し硬化肉盛り加工を施した。
【００１５】
図１の６に示すように、硬化肉盛り加工部よりＢ方向に隣接して５ミリメートル幅、５ミリメートルの溝をいれて耐熱グランドパッキン（日本ピラー、６７１１）を耐熱接着剤で巻き付けた。
【図面の簡単な説明】
【００１６】
【図１】アルミニウム合金やマグネシウム合金を押し出し部の組立図
【符号の説明】
【００１７】
１．プランジャーロット
２．継ぎ手
３．プランジャーチップ
４．プランジャースリーブ
５．溶射面
６．グランドパッキン
７．硬化肉盛り部
【図１】
0003206719.tif 000003
(57)【要約】      （修正有）【課題】入力のために押圧を加えるべき正確な位置を指先で感じ取ることができ、正確な入力ができる方向キーを提供する。【解決手段】上下・左右・斜め右上・斜め左上・斜め右下・斜め左下の８箇所で、入力のために指先の押圧を加えるべき好適な位置に、半球あるいはドーム型でそれぞれ好ましい大きさや高さの小突起１〜８を設けることにより、指先と方向キーとの接触状態が面ではなく点に近い状態になり、微妙な位置のずれを感じ取ることが可能になり、正確な入力が可能になる。【選択図】図２
0003206767.tif 000002
【実用新案登録請求の範囲】
【請求項１】
上下・左右・斜め右上・斜め左上・斜め右下・斜め左下の８箇所で、入力のために指先の押圧を加えるべき好適な位置に、半球あるいはドーム型でそれぞれ好ましい大きさや高さの小突起（１〜８）を設けることによる。
【考案の詳細な説明】
【技術分野】
【０００１】
本考案は、ゲームコントローラーにおいて、移動する方向を入力する装置に関するものである。
【考案の概要】
【考案が解決しようとする課題】
【０００２】
従来の方向キーは、幅広の十字型を浮き彫りにした形態のものが一般的で、入力作業を行う時の指先と方向キーの接触状態は面で接触しており、入力のために押圧を加えるべき正確な位置を指先で感じ取ることが困難であった。また特に、斜め右上・斜め左上・斜め右下・斜め左下の入力に関しては、その傾向が強かった。
【課題を解決するための手段】
【０００３】
上下・左右・斜め右上・斜め左上・斜め右下・斜め左下の８箇所で、入力のために指先の押圧を加えるべき好適な位置に、半球あるいはドーム型でそれぞれ好ましい大きさや高さの小突起１〜８を設けた。
【考案の効果】
【０００４】
小突起の採用により、指先と方向キーとの接触状態が面ではなく点に近い状態になり、微妙な位置のずれを感じ取ることが可能になり、正確な入力が可能になる。
【図面の簡単な説明】
【０００５】
【図１】本考案を真上から見た図である。
【図２】本考案を右側面から見た図である。
【図３】従来の一般的な十字型の方向キーの斜視図である。
【符号の説明】
【０００６】
図１と図２における符号１〜８は、半球あるいはドーム型の小突起を示す。符号９は、小突起を固定する台座を示す。
【図１】
0003206767.tif 000003
【図２】
0003206767.tif 000004
【図３】
0003206767.tif 000005
【手続補正書】
【提出日】平成28年8月9日(2016.8.9)
【手続補正１】
【補正対象書類名】実用新案登録請求の範囲
【補正対象項目名】全文
【補正方法】変更
【補正の内容】
【実用新案登録請求の範囲】
【請求項１】
上下・左右・斜め右上・斜め左上・斜め右下・斜め左下の８箇所で、入力のために指先の押圧を加える位置に、半球あるいはドーム型で大小の小突起（１〜８）を配置した方向キー。
(57)【要約】      （修正有）【課題】下着等を交換した後に、手軽に男性局部の温水洗浄ができて、常に清潔な状態を保ち、高齢者に優しい洗浄便座を提供する。【解決手段】便器に固定して局部洗浄をおこなう洗浄便座において、既存の洗浄便座の温水タンクから、ホースを経由して便座内部に配管を通し、便座前部の内側に男性用洗浄ノズルを設置し、リモコンに装備されている男性専用洗浄ボタンを押して、少量のシャワー温水を噴出させ、男性局部を洗浄する。【選択図】図１
0003206768.tif 000002
【実用新案登録請求の範囲】
【請求項１】
便器に固定して局部洗浄をおこなう洗浄便座において、既存の洗浄便座の温水タンクから、ホース等を経由して便座内部に配管を通し、便座前部の内側に男性用洗浄ノズルを設置する。リモコン等の男性専用洗浄（男まえ）ボタンを押して、少量のシャワー温水を噴出させ、男性局部を洗浄することを特徴とする洗浄便座。
【考案の詳細な説明】
【技術分野】
【０００１】
この考案は、洋式の便器図１に取付け使用する洗浄便座図２．図３に、本体と便座のヒンジ部右側部分に温水ホース図５を接続し、便座内部に配管を通し、便座前部の内側に洗浄ノズル部図４を設置して、男性局部を少量の温水シャワーにて洗浄する。
【背景技術】
【０００２】
既存の洗浄便座は、リモコン等ボタンを押すことで、「おしり・ビデ・やわらか」などと異なるノズルでシャワー噴出されるが、既存の技術を応用し、もう一つ「男まえ」（男性専用）ボタン図６を追加し、便座の前部から温水シャワーが噴出される。
【先行技術文献】
【特許文献】
【０００３】
【特許文献１】特開平05-154070
【非特許文献】
【０００４】
【非特許文献１】実用新案登録第3194772号(U3194772)
【考案の概要】
【考案が解決しようとする課題】
【０００５】
男性高齢者の失禁・尿漏れで、下着等を交換した後に、手軽に男性局部の温水洗浄することで、高齢者に優しい装置とし、いつも清潔な状態を持続さす衛生的なものとする。またそれ以外に、女性用ビデの様に、男性の排尿後の局部を常に清潔に保ちたいとの要望にも対応する。
【課題を解決するための手段】
【０００６】
洋式の便器に取付け使用する洗浄便座のヒンジ部の右側部分に、温水タンクのポンプからホースを接続し、便座内部に配管を通し、便座前部の内側に洗浄ノズル部を設置して、男性局部を少量の温水シャワーにて洗浄する。
【考案の効果】
【０００７】
男性専用ノズルを追加することで、男性高齢者及びそれ以外の男性もビデの機能を利用できたこと。男性専用ノズルを追加することで、男性高齢者及びそれ以外の男性もビデの機能を利用できたこと。
【図面の簡単な説明】
【０００８】
【図１】洗浄便座が設置された便器の前面図  便座の前部の内側に、洗浄ノズルが設置されている。
【図２】便座の前部 裏側の斜め横からの設置図
【図３】便座の前部 上部からの設置図
【図４】洗浄ノズル部詳細図  水平から下方へ１０°の傾斜で温水が吹き出す。
【図５】便座と温水ホース接続部の図  便座の右側に温水ポンプからのホースが接続がされている。
【図６】操作リモコン部等のボタン（男まえボタン押しで、温水シャワーが吐出する）
【考案を実施するための形態】
【０００９】
既存の洗浄装置本体と洗浄便座のヒンジ右側部分に温水ホースを接続し、便座内部に配管を通し、便座前部の内側に洗浄ノズル部を設置して、男性局部を少量で水圧も低い温水で洗浄するので、節水型である。
【産業上の利用可能性】
【００１０】
手軽に男性局部を温水洗浄することで、高齢者に優しい装置とし、いつも清潔な状態を持続さす衛生的なものとする。またそれ以外に、女性用ビデの様に、排尿後の局部を常に清潔に保ちたいとの要望にも対応する。
高齢者の衛生状態を手助けする装置であり、産業上の利用も期待できる。
【図１】
0003206768.tif 000003
【図２】
0003206768.tif 000004
【図３】
0003206768.tif 000005
【図４】
0003206768.tif 000006
【図５】
0003206768.tif 000007
【図６】
0003206768.tif 000008
【手続補正書】
【提出日】平成28年8月7日(2016.8.7)
【手続補正１】
【補正対象書類名】実用新案登録請求の範囲
【補正対象項目名】請求項１
【補正方法】変更
【補正の内容】
【請求項１】
便器に固定して局部洗浄をおこなう洗浄便座において、既存の洗浄便座の温水タンクから、ホースを経由して便座内
部に配管を通し、便座前部の内側に男性用洗浄ノズルを設置するもので、リモコンに装備されている男性専用洗浄ボ
タンを押して、少量のシャワー温水を噴出させ、男性局部を洗浄することを特徴とする洗浄便座。
(57)【要約】      （修正有）【課題】初心者が縄跳びを練習するとき、無理なく容易に縄を回しながら連続で跳ぶ技術を習得するための跳び縄を提供する。【解決手段】剛性のある線条体１の両端に線条体１の中心を軸として接続部２を差し込み、この接続部２にグリップ３を取り付ける。接続部２はグリップ３に対し回転できるが抜けないように構成されている。使用するときは、グリップ３を持ちながら回旋させ、タイミングを合わせて跳ぶのだが、縄のように弛んで回ってくることがなく、線条体が一定のアーチ形状を維持しながら回転するので、初心者にとっては跳びやすい。【選択図】図２
0003206770.tif 000002
【実用新案登録請求の範囲】
【請求項１】
剛性のある線条体の両端にグリップを取り付け、上記グリップの中心を軸として、上記線条体を回転可能に構成した跳び縄。
【考案の詳細な説明】
【技術分野】
【０００１】  この考案はこどもが縄跳びを初めて行う際、無理なく容易に縄を回しながら連続で跳ぶ技術を習得するための跳び縄に関するものである。
【背景技術】
【０００２】  従来、跳び縄は縄もしくはビニール紐である。これは初心者にとって縄部分がたるんだり、よじれたりして上手く回せないことや、縄が手や腕の動きから少し遅れて回旋してくることが多く、前まわし跳びの習得が難しいこどもがいた。先行文献はこれを解消すべくパイプを利用し、回旋時にアーチ形状を保持できるようにした。
【先行技術文献】
【０００３】
【特許文献１】  特開２０１２−１７０８０５
【考案の概要】
【考案が解決しようとする課題】
【０００４】  これは次のような欠点があった。初心者が前まわし跳び習得練習の際、理想的な縄を介してアーチ形状を維持しながらの回旋運動が困難な場合が多く、その原因として、縄部分がたるんだり、よじれたりして回せないことや縄が手や腕の動きから少し遅れて回旋してくることが考えられる。それを解消すべくパイプを取り付けてはいるが、腕や手首の回しがグリップから連結部分、そして縄へと回旋運動が伝わるまでに若干の弛んだしなりがあり、跳ぶタイミングとしては十分ではなかった。
本考案は、以上のような欠点をなくすためになされたものである。
【課題を解決するための手段】
【０００５】  本考案は、剛性のある線条体の両端にグリップを取り付け、上記グリップの中心を軸として、上記線条体を回転可能に構成した。
【考案の効果】
【０００６】  縄部分が紐ではなく剛性のある線条体なので跳ぶ際にアーチ形状を保ちながら回旋運動が容易にでき、前まわし跳びや後ろ回し跳びが習得しやすくなる。
【図面の簡単な説明】
【０００７】
【図１】本考案の斜視図である。
【図２】本考案の断面図である。
【図３】本考案の使用状態の図である。
【考案を実施するための形態】
【０００８】  以下、本考案を実施するための形態について説明する。
図１及び、図２に示すように、剛性のある線条体１の両端に線条体１の中心を軸として接続部２を差し込み、この接続部２にグリップ３を取り付ける。接続部２はグリップ３に対し回転できるが抜けないように構成されている。本考案は以上のような構造である。これを使用するときは、グリップ３を持ちながら回旋させ、タイミングを合わせて跳ぶのだが、縄のように弛んで回ってくることがなく、図３に示すように線条体が一定のアーチ形状を維持しながら回転するので、初心者にとっては跳びやすい。さらに接続部２とともに剛性のある線条体１が回転するので捻じれない。剛性のある線条体１については、  ＴＯＹＯＸ社のヒットホースＨＢ−６（商品名）が好適であった。
【符号の説明】
【０００９】  １    剛性のある線条体
２    接続部
３    グリップ
【図１】
0003206770.tif 000003
【図２】
0003206770.tif 000004
【図３】
0003206770.tif 000005
(57)【要約】      （修正有）【課題】ゴルフクラブを挿入してスイングすることで生じる空気抵抗に対し、プレーヤー自らのスイング力で力の配分と正確さを身に付け、併せてスイングに必要な筋力を高めスイングスピードの向上を図れる安価で簡易なゴルフスイング練習具を提供する。【解決手段】ゴルフクラブ挿入袋の形態を成し、入口部分には紐が付けられ、入口からシャフト部分の中間辺りまでクラブヘッドが収納可能な広さに作られ、シャフト部分の中間辺りからグリップ部分に近づくにつれて袋の広い部分が絞られ、グリップ部分はグリップが丁度挿入できる広さに作られたゴルフクラブ挿入型のゴルフスイング練習具。【選択図】図６
0003206749.tif 000002
【実用新案登録請求の範囲】
【請求項１】
本考案はゴルフクラブ挿入袋でできており、入口（符号１）部分には紐（符号２）が付けられ入口部分からシャフト部分（符号３）の中間辺りまではクラブヘッドが挿入可能な広さに作られている。シャフト部分の中間辺りからグリップ部分（符号４）に近付くにつれて袋の広い部分（符号５）が絞られ、グリップ部分はグリップが丁度挿入できる広さに作られたゴルフクラブ挿入型のゴルフスイング練習具。
【請求項２】
グリップ部分（符号４）に滑り止めを施すことでグリップ力を高めることもできる。
【考案の詳細な説明】
【技術分野】
【０００１】本考案は、スイング時に生じる広い部分（符号５）の空気抵抗に対し、プレーヤー自らのスイング力によってヘッドスピードと正確さを高めると共にスイングに必要な筋力を付けることを目的としたゴルフスイング練習具である。
【背景技術】
【０００２】１、従来のゴルフスイング練習具はヘッドの重さやシャフトの撓りによって遠心力を誘発することでスイングを是正しようとしているものが多い。
２、従来のゴルフスイング練習具は棒状のものやゴルフクラブの形はしているが、プレーヤー自身のクラブとは異質のものである。
【考案の開示】
【考案が解決しようとする課題】
【０００３】しかし、これでは、プレーヤー自らのスイング力と筋力を高めることは難しい。
【課題を解決するための手段】
【０００４】そこで、本考案はゴルフクラブ挿入袋型で、その中にゴルフクラブを挿入してスイングすることで、袋の広い部分（符号５）が空気抵抗によりスイングが抑制されるが、これをプレーヤー自らのスイング力によってインパクト時の力の配分と正確さを体感し会得することができるように考案されたものである。
【考案の効果】
【０００５】１、本考案の使用によってスイング力と正確さを高めるだけではなく、スイングに必要な筋力を高めることもできる。
２、本考案は自分のクラブを使用できるので、より実感のあるスイングが期待できる。
３、挿入するクラブは、ウッド用ならドライバーから５〜６番ウッド、アイアン用ならロングアイアンからショートアイアンまで長さに拘らず挿入できるので、苦手クラブの克服にもなる。
４、本考案は小さく折り畳めるのでゴルフバッグのポケット等に入れておき必要に応じ使うこともできる。
【考案の詳細な説明】
【０００６】本考案のゴルフスイング練習具はゴルフクラブ挿入袋にゴルフクラブを挿入して入口（符号１）部分をクラブヘッドのネックに巻き付け紐でキッチリと縛り固定して使用する。
他の多くのゴルフスイング練習具はヘッドの重さやシャフトの撓りによって遠心力を誘発することでスイングを是正しようとしているが、本考案の練習具はトップからダウンスイング、インパクトそしてホロースルーに至るまで、広い部分（符号５）の空気抵抗によってスイングが抑制されるが、プレーヤー自らがスイング力を発揮することでダウンスイングからインパクトにかけての力の配分を体感し、ホロースルーに至ってもプレーヤーはスイング力を持続しなければならず、この一連の動作によってスイングが是正されるので、インパクト時のスイングの力感と正確さを体感し会得することができる。また、本考案を日々数分程度振ることで空気抵抗に耐えて手首や腕、身体の筋肉が鍛えられ、延いてはスイングスピードやショットの正確さを習得することができるゴルフスイング練習具である。
【図面の簡単な説明】
【０００７】
【図１】正面図
【図２】裏面図
【図３】展開図
【図４】斜視図
【図５】ゴルフクラブ挿入状態を示す正面図
【図６】ゴルフクラブを本考案に挿入した実施例を示す外観図
【図７】斜視図（アイアン用」
【図８】アイアンのゴルフクラブ挿入状態を示す正面図
【図９】アイアンのゴルフクラブ
【図１０】アイアンゴルフクラブを本考案に挿入した実施例を示す外観図
【符合の説明】
【０００８】１  入口
２  紐
３  シャフト部分
４  グリップ部分
５  広い部分
【図１】
0003206749.tif 000003
【図２】
0003206749.tif 000004
【図３】
0003206749.tif 000005
【図４】
0003206749.tif 000006
【図５】
0003206749.tif 000007
【図６】
0003206749.tif 000008
【図７】
0003206749.tif 000009
【図８】
0003206749.tif 000010
【図９】
0003206749.tif 000011
【図１０】
0003206749.tif 000012
【手続補正書】
【提出日】平成28年6月9日(2016.6.9)
【手続補正１】
【補正対象書類名】実用新案登録請求の範囲
【補正対象項目名】請求項１
【補正方法】変更
【補正の内容】
【請求項１】
ゴルフクラブ挿入袋でできており、入口（１）部分には紐（２）が付けられ入口部分からシャフト部分（３）の中間辺りまではクラブヘッドが挿入可能な広さに作られており、シャフト部分の中間辺りからグリップ部分（４）に近付くにつれて袋の広い部分（５）が絞られ、グリップ部分はグリップが丁度挿入できる広さに作られたゴルフクラブ挿入型のゴルフスイング練習具
【手続補正２】
【補正対象書類名】実用新案登録請求の範囲
【補正対象項目名】請求項２
【補正方法】変更
【補正の内容】
【請求項２】
グリップ部分（４）に滑り止めを施すことでグリップ力を高めることができることを特徴とする請求項１に記載のゴルフクラブ挿入型のゴルフスイング練習具